(57)【特許請求の範囲】
【請求項１】
駅設備を遠隔制御する駅務遠隔監視システムにおいて、
改札の通過者数を計数する改札計数手段と、
人の存在を検出する人検出手段と、
列車から下車する人を撮像して、この撮像した映像から下車した人の数を求める人計数手段と、
前記改札計数手段、前記人検出手段および前記人計数手段にて得られた情報に基づいて、駅が終業状態にあるか否かを判定する終業判定手段とを具備することを特徴とする駅務遠隔監視システム。
【請求項２】
前記終業判定手段は、前記改札計数手段、前記人検出手段および前記人計数手段にて得られた情報に基づいて、駅内に利用客がいなくなったことを検出した場合に、駅が終業状態にあるものと判定することを特徴とする請求項１に記載の駅務遠隔監視システム。
【請求項３】
異常の有無を検出する異常検出手段を備え、
前記終業判定手段は、前記改札計数手段、前記人検出手段、前記人計数手段および前記異常検出手段にて得られた情報に基づいて、駅が終業状態にあるか否かを判定することを特徴とする請求項１に記載の駅務遠隔監視システム。
【請求項４】
所定の時刻を経過しても、前記終業判定手段が終業状態と判定しない場合に、異常が発生したものとして、この旨を報知する異常報知手段を備えることを特徴とする請求項１乃至請求項３のいずれかに記載の駅務遠隔監視システム。
【発明の詳細な説明】
【０００１】
【発明の属する技術分野】
この発明は、例えば鉄道駅に設置される駅務機器や駅設備を遠隔制御および遠隔監視する駅務遠隔監視システムに関する。
【０００２】
【従来の技術】
周知のように、駅務遠隔監視システムが導入されていない駅では、駅の始業時や終業時に、駅員が駅務機器（自動改札機、自動券売機、自動精算機など）や駅設備（エレベータ、エスカレータ、電動シャッタなど）のあるところまで出向いて、各機器の電源を１台ずつで投入／断したり、各種運用上の設定を行なう必要があった。
【０００３】
これに対して、駅務遠隔監視システムが導入された駅、特にローカル駅などの無人駅においては、当該システムの中枢である駅務遠隔監視装置が設置される有人駅より、上記駅務機器や駅設備の遠隔操作が可能となり、駅員を無人駅の始業時や終業時に、現地へ赴かせる必要がなくなる。
【０００４】
しかしながら、従来の駅務遠隔監視システムでは、複数の無人駅に対して個々にオペレータが遠隔操作を行うため、多くの時間と手間を要する。また、遠隔操作する駅務機器の始動や停止の完了、あるいは駅設備の遠隔操作完了に、時間がかかる場合（機器の起動や停止、シャッタの昇降）には、遠隔操作の完了を確認するのに時間や手間がかかる上に、見落とす危険性があるという問題がある。
【０００５】
また、従来は、無人駅で発生した問題は、定期的に巡回する保守員か、あるいは利用客によって発見され、保守員が問題に現地で対応することになる。そして、上記問題への対応や状況報告など、問題についての連絡は、電話やファクシミリなどを通じて行われるが、このような手段では、現地にいる保守員と、駅務遠隔監視システムのオペレータや運行を管理する者との間で、十分な意志の疎通が図れず、適切な対応ができなかったり、多くの場合対応までに多くの時間を要するという問題があった。
【０００６】
また、従来では、駅には図２３に示すようなシステムが導入されていた。このシステムは、自動改札機ＧＥ１〜ＧＥ３，ＧＷ１〜ＧＷ３にて、入場者数をそれぞれカウントし、自動改札機監視装置ＧＯ１，ＧＯ２に通知する。自動改札機監視装置ＧＯ１，ＧＯ２は、それぞれ自動改札機ＧＥ１〜ＧＥ３，ＧＷ１〜ＧＷ３より通知されるカウント情報を集計し、集計結果を売り上げ管理装置ＳＳに通知する。
【０００７】
そしてこの売り上げ管理装置ＳＳでは、自動改札機監視装置ＧＯ１，ＧＯ２にて集計したカウント情報より売り上げ、および入場者数を集計するようにしてる。
しかしこのシステムは、売り上げや入場者数を集計することはできても、終業時にすべての入場者が退場したかを確認することはできない。
【０００８】
また、駅では、改札者数と出札者数が異なるため、入出場者をカウントするだけでは、駅構内に居残る人の有無を確認することができなかった。
【０００９】
そしてまた、通常、駅の終業確認は、火災防止のために、たばこの消し忘れなど、火元の安全確認を行う必要があるが、上述のシステムでは、このような安全確認は人に頼る他なかった。従って、無人駅などにあっては、終業時に係員が現地に赴く必要があり、終業確認には多大な人的資源を必要としていた。
【００１０】
【発明が解決しようとする課題】
従来の駅務遠隔監視システムでは、駅務機器や駅設備の遠隔操作に時間や手間がかかる上に、遠隔操作の対象によっては、遠隔操作の完了を確認するのに時間や手間がかかる上に、見落とす危険性があるという問題があった。
【００１４】
また、前述のように、従来では、駅の終業確認を行うには、多大な人的資源を必要とするという問題があった。
この発明は上記の問題を解決すべくなされたもので、人的資源を節約して、駅の終業確認を行うことが可能な駅務遠隔監視システムを提供することを目的とする。
【００１５】
【課題を解決するための手段】
上記の目的を達成するために、この発明は、駅設備を遠隔制御する駅務遠隔監視システムにおいて、改札の通過者数を計数する改札計数手段と、人の存在を検出する人検出手段と、列車から下車する人を撮像して、この撮像した映像から下車した人の数を求める人計数手段と、改札計数手段、人検出手段および人計数手段にて得られた情報に基づいて、駅が終業状態にあるか否かを判定する終業判定手段とを具備して構成するようにした。
【００２８】
上記構成の駅務遠隔監視システムでは、改札計数手段、人検出手段および人計数手段にて得られた情報から、駅が終業状態にあることを判定するようにしている。
したがって、上記構成の駅務遠隔監視システムによれば、人的資源を節約して、駅の終業確認を行うことができる。
【００２９】
【発明の実施の形態】
以下、図面を参照して、この発明の実施形態について説明する。
図１に、この発明の第１の実施形態に係わる駅務遠隔監視システムの構成を示す。この駅務遠隔監視システムは、図２に示すように、センタ駅とローカル駅とからなる鉄道に適用されるものである。センタ駅には、係員が常駐しており、ローカル駅は、無人駅か、常駐する駅員のいない半無人駅で、センタ駅とローカル駅はＬＡＮ接続されている。
【００３０】
まず、センタ駅について説明する。
センタ駅は、制御端末（ＰＣ）１００を中核とし、この制御端末１００を通じて上記ＬＡＮに接続される。
カメラ１１３〜１１５は、センタ駅構内やセンタ駅近傍の線路を撮影するように配備され、撮影した映像データをマルチビューワ（ＭＶ）１１２に出力する。
【００３１】
マルチビューワ１１２は、後述の制御端末１００のモニタの画面を分割し、カメラ１１３〜１１５にて撮影した映像データをそれぞれ表示するように合成するものである。ここで合成された映像データは、ビデオスイッチャ（ＶＳＷ）１１０に出力される。
【００３２】
人物カメラ１１１は、上記制御端末１００のオペレータを撮影するもので、ここで撮影された映像データは、上記ビデオスイッチャ１１０に出力される。
ビデオスイッチャ１１０は、マルチビューワ１１２にて合成された映像データと、人物カメラ１１１にて撮影した映像を合成し、制御端末１００からの指示に応じて制御端末１００に出力するものである。
また、ビデオスイッチャ１１０には、モニタ１４０が接続されており、このモニタ１４０にて、より大きく明瞭に映像データを表示させることができる。
【００３３】
インターホン１２２，１２３は、駅構内の各部に配備される。ハンドセット１２４は、制御端末１００の近傍に設けられ、オペレータが用いる。
【００３４】
インターホン制御器１２１は、インターホン１２２，１２３およびハンドセット１２４を制御し、インターホン１２２，１２３とハンドセット１２４との間に音声通信リンクを開設したり、あるいは、これらのうちいずれかを選択的にオーディオスイッチャ（ＡＳＷ）１２０に接続する。
【００３５】
オーディオスイッチャ１２０は、インターホン制御器１２１を通じて接続されるインターホン１２２，１２３とハンドセット１２４の間に音声通信リンクを開設する。
【００３６】
駅務機器１３１，１３２は、自動改札機、自動券売機、自動精算機など機器であって、後述の制御端末１００により、動作制御や各種設定がなされ、各機器は自己の状態（故障の発生、売り上げ、入出場者のカウント数など）を定期的に報告する。
【００３７】
駅設備１３３は、駅構内や出入り口に設けられるエレベータ、エスカレータ、電動シャッタなどであって、後述の制御端末１００により、動作制御され、故障の発生や自己の状態を制御端末１００に通知する。
【００３８】
制御端末１００は、当該駅務遠隔監視システムの中枢をなすもので、少なくともタッチパネル式のモニタ、キーボードなどのマン−マシンインターフェイスを備えたコンピュータ端末であって、上述の各機器を制御したり、ＬＡＮを通じて、後述のローカル駅に設けられる各機器の動作制御を行う。
【００３９】
また、上記タッチパネル式のモニタは、図３に示すように、ＧＵＩ（Graphical User Interface）を通じてオペレータからの要求を受け付けたり、システムの状態を示す。
【００４０】
モニタの表示は、基本構成として、遠隔制御を行う駅を選択するウィンドウＷ１（図４参照）と、ウィンドウＷ１にて選択した駅に設けられる機器の選択や、制御機能の選択を行うウィンドウＷ２（図５参照）と、異常が起きたローカル駅からのアラーム情報を表示し、詳細などを表示するためのウィンドウＷ３（図６参照）と、当該システムのカメラからの映像を表示するウィンドウＷ４（図７参照）と、ウィンドウＷ２で選択した機能を操作し、各機器の状態を示すウィンドウＷ５（図８参照）と、警報の停止やシステムの終了操作を行うウィンドウＷ６（図９参照）とからなる。
【００４１】
次に、ローカル駅について説明する。
ローカル駅は、制御端末（ＰＣ）２００を中核とし、この制御端末２００を通じて上記ＬＡＮに接続される。
カメラ２１３〜２１５は、ローカル駅構内やローカル駅近傍の線路を撮影するように配備され、撮影した映像データをマルチビューワ（ＭＶ）２１２に出力する。
【００４２】
マルチビューワ２１２は、後述の制御端末２００のモニタの画面を分割し、カメラ２１３〜２１５にて撮影した映像データをそれぞれ表示するように合成するものである。ここで合成された映像データは、ビデオスイッチャ（ＶＳＷ）２１０に出力される。
【００４３】
人物カメラ２１１は、上記制御端末２００のオペレータを撮影するもので、ここで撮影された映像データは、上記ビデオスイッチャ２１０に出力される。
ビデオスイッチャ２１０は、マルチビューワ２１２にて合成された映像データと、人物カメラ２１１にて撮影した映像を合成し、制御端末２００からの指示に応じて制御端末２００に出力するものである。
また、ビデオスイッチャ２１０には、モニタ２４０が接続されており、このモニタ２４０にて、より大きく明瞭に映像データを表示させることができる。
【００４４】
インターホン２２２，２２３は、駅構内の各部に配備される。ハンドセット２２４は、制御端末２００の近傍に設けられ、オペレータが用いる。
【００４５】
インターホン制御器２２１は、インターホン２２２，２２３およびハンドセット２２４を制御し、インターホン２２２，２２３とハンドセット２２４との間に音声通信リンクを開設する。
【００４６】
駅務機器２３１，２３２は、自動改札機、自動券売機、自動精算機など機器であって、後述の制御端末２００により、動作制御や各種設定がなされ、各機器は自己の状態（故障の発生、売り上げ、入出場者のカウント数など）を定期的に報告する。
【００４７】
駅設備２３３は、駅構内や出入り口に設けられるエレベータ、エスカレータ、電動シャッタなどであって、後述の制御端末２００により、動作制御され、故障の発生や自己の状態を制御端末２００に通知する。
【００４８】
制御端末２００は、ローカル駅における駅務遠隔監視システムの中枢をなすもので、制御端末１００と同様に、少なくともタッチパネル式のモニタ、キーボードなどのマン−マシンインターフェイスを備えたコンピュータ端末である。
【００４９】
そして、制御端末１００と同様のＧＵＩを通じてオペレータからの要求を受け付けたり、システムの状態を示し、制御端末１００からの指示に応じて、上述の各機器を制御し、さらには自己が置かれるローカル駅の機器の状態をＬＡＮを通じて、センタ駅の制御端末１００に定期的に通知する。
【００５０】
なお、上述した各駅の機器には、予め操作コードが割り当てられており、この操作コードを通じて、制御端末１００，２００は、各機器の制御を行う。この操作コードは、図１０に示すように、固定コード、機種コード、分類コード、詳細コード、サブコードから構成される。
【００５１】
固定コードは、当該操作コードと、他のコードとを識別するためのコード識別情報である。機種コードは、機器の機種を分類するための情報である。分類コードは、各機器毎に設定されるコマンドを大別するための情報である。詳細コードは、各機器毎に設定されるコマンドを詳細に判別するための情報である。サブコードは、電源の「入り／切り」等の設定が必要な場合に使用するコードである。
【００５２】
次に、上記構成の駅務遠隔監視システムの動作を以下に説明する。
まず、予め設定したスケジュールに従った始業／終業処理について説明する。
図１１は、そのフローチャートで、制御端末１００の電源を投入すると、制御端末１００により実行される。
【００５３】
なお、この処理の実行に先立ち、各駅の各機器についての始業時および終業時の制御を示す項目ファイルを、曜日単位で時刻に対応させ、スケジュールデータとして作成しておく。このデータは、制御端末１００内に記憶される。
【００５４】
まず、ステップ１１ａでは、予め作成しておいた上記スケジュールデータを読み込み、ステップ１１ｂにて、スケジュールデータの設定がない場合には、当該処理を終了し、一方、設定がある場合には、ステップ１１ｃに移行する。
【００５５】
ステップ１１ｃでは、上記スケジュールデータで指定された時刻が到来したか否かを監視する。ここで、指定した時刻が到来した場合には、ステップ１１ｄに移行し、一方、指定した時刻が到来しない場合には、再びステップ１１ｃに移行して時刻の監視を行う。
【００５６】
ステップ１１ｄでは、指定時刻に対応する機器に対して、上記項目ファイルに設定された制御に対応する制御コマンドとして、前述の操作コードをＬＡＮを通じて送信し、ステップ１１ｅに移行する。これにより、制御対象となる機器は、電源の投入や遮断などが行われる。
【００５７】
ステップ１１ｅでは、ステップ１１ｄにて操作コードを送信した機器より、ステータス情報を受信し、機器がスケジュールデータ通りの状態にある、すなわちステップ１１ｄでの制御が成功したか否かを判定する。
【００５８】
ここで、ステップ１１ｄでの制御が成功していない場合には、再びステップ１１ｄに移行して、再試行を行う。一方、制御が成功した場合には、ステップ１１ｃに移行して、上記スケジュールデータで指定される次の指定時刻の到来を待機する。
【００５９】
次に、オペレータからの要求による、始業時の機器の立ち上げ処理について説明する。図１２は、そのフローチャートである。この処理は、制御端末１００によってなされる。
【００６０】
ステップ１２ａでは、オペレータがタッチパネル式のモニタを通じて、始業項目を変更する要求を行ったか否かを判定する。ここで、始業項目の変更要求があった場合には、ステップ１２ｂに移行し、一方、変更要求がない場合には、ステップ１２ｃに移行する。
【００６１】
ステップ１２ｂでは、上記モニタに、図１３に示すような始業項目選択画面を表示し、オペレータから上記モニタを通じて始業項目の変更を受け付け、更新された始業項目を始業項目ファイルとして記憶し、ステップ１２ｃに移行する。
【００６２】
ステップ１２ｃでは、オペレータより上記モニタを通じて、始業の要求を受け付ける。ここで、始業の要求があった場合には、ステップ１２ｄに移行し、一方、要求がなかった場合には、ステップ１２ａに再び移行する。
【００６３】
ステップ１２ｄでは、予め記憶しておいた、各駅毎に制御対象となる機器をまとめたファイルと、前述の始業項目ファイルとに基づいて、始業に際して制御する機器をまとめた始業リストを作成し、ステップ１２ｅに移行する。
【００６４】
ステップ１２ｅでは、ステップ１２ｄにて作成した始業リストに従って、制御対象となる機器に制御コマンドとして、前述の操作コードを送信し、ステップ１２ｆに移行する。これにより、制御対象となる各機器は、電源の投入など、始業時の制御が一括して行われる。
【００６５】
ステップ１２ｆでは、各機器のステータス情報を受信し、ステップ１２ｅにて操作コードを送信した機器が、上記始業リストにあるような状態となっている、すなわちステップ１２ｅでの制御が成功したか否かを判定する。
【００６６】
そして、成功が確認された機器を上記始業リストから削除し、所定の時間が経過した後に、すべての制御が成功している場合には、当該処理を終了し、一方、成功していない機器がある場合にはステップ１２ｇに移行する。
【００６７】
ステップ１２ｇでは、上記モニタに、上記始業リストに基づいて、成功していない機器とその制御内容を表示し、再試行の要求を受け付ける。ここで、再試行の要求があった場合には、ステップ１２ｅに移行して、上記始業リストに従って再び制御を試みる。一方、上記要求がない場合には、当該処理を終了する。
【００６８】
また、終業時の処理も、制御端末１００の制御により、予め終業時制御項目が作成され、オペレータからの要求により上記終業時制御項目に基づいて終業リストが作成され、このリストによって終業制御がなされる。なお、ここでは、始業制御と終業制御は、主として電源の投入と切断の違いで、終業処理のフローも始業時とほぼ同様であるため、ここでは詳細な説明は省略する。
但し、終業時に安全確認が必要な項目、例えばシャッタの開閉については、始業時と異なる制御を行うようにしてもよい。
【００６９】
次に、駅間でテレビ会議を行う場合の動作について説明する。図１４は、そのシーケンスを示すもので、ローカル駅Ａがローカル駅Ｂとテレビ会議を行う場合を例に挙げて説明する。
【００７０】
まず、ローカル駅Ａのオペレータが制御端末２００の例えばタッチパネル式モニタを操作する（Ｓ１）。この操作は、前述のウィンドウ２にて「ＴＶ会議」を選択し、続いて表示される図１５のウィンドウにて、相手となるローカル駅Ｂの名称を選択することによってなされる。この要求は、ＬＡＮを通じてセンタ駅の制御端末１００に通知される（Ｓ２）。
【００７１】
すると、センタ駅の制御端末１００は、その時点で保持しているローカル駅Ｂの情報を参照し、テレビ会議機能の実行が可能であるか否か判定する（Ｓ３）。
ここで、テレビ会議が可能な状態にローカル駅Ｂがあると、その旨をＬＡＮを通じてローカル駅Ａの制御端末２００に通知する（Ｓ４）。
【００７２】
これに対して、ローカル駅Ａの制御端末２００は、映像系（人物カメラ２１１、ビデオスイッチャ２１０など）と音声系（インターホン制御器２２１、ハンドセット２２４など）を制御し、ＬＡＮを通じてセンタ駅の制御端末１００との間に通信リンクを開設する（Ｓ５）。
【００７３】
一方、センタ駅の制御端末１００は、ＬＡＮを通じローカル駅Ｂの制御端末２００に対して、ローカル駅Ａからのテレビ会議の要求があった旨を通知する（Ｓ６）。
【００７４】
これに対して、ローカル駅Ｂの制御端末２００は、図６のウィンドウＷ３にアラーム情報の追加という形で、ローカル駅Ａからのテレビ会議の要求をオペレータに通知する（Ｓ７）。
【００７５】
ここで、ローカル駅Ｂのオペレータが制御端末２００のタッチ式パネルを操作して、上記ウィンドウ３に表示されたテレビ会議要求を示すアラームを選択すると（Ｓ８）、ローカル駅Ｂの制御端末２００は、映像系（人物カメラ２１１、ビデオスイッチャ２１０など）と音声系（インターホン制御器２２１、ハンドセット２２４など）を制御し、ＬＡＮを通じてセンタ駅の制御端末１００との間に通信リンクを開設する（Ｓ９）。
【００７６】
これにより、ローカル駅Ａの制御端末２００は、ローカル駅Ｂの制御端末２００との間に、テレビ会議を行うための通信リンクが確立され、ローカル駅Ａのオペレータとローカル駅Ｂのオペレータとがそれぞれハンドセット２２４を取り上げた時点で、両者間でテレビ会議が実現される。
【００７７】
なお、人物カメラ２１１にて撮影された映像は、通信相手のモニタの上記ウィンドウ４、またはモニタ２４０に表示される。ここでの表示は、カメラ２１３〜２１５の映像と合成したり、適宜切替を可能な構成にしてもよい。
【００７８】
また、センタ駅では、ＬＡＮを通じて行われるテレビ会議の状態を監視するため、ウィンドウ２にて「ＴＶ会議」を選択した後、「接続状況」タブを選択することにより（図１６参照）、ローカル駅間でなされるテレビ会議の接続状況を把握できる。また、ここで、「強制終了」を選択した場合には、テレビ会議を行う両者に終了コマンドを送信して、強制的にテレビ会議を終了する。
なお、上記では、ローカル駅間でテレビ会議を行う場合を例に説明したが、センタ駅とローカル駅との間でテレビ会議を行うことも可能である。
【００７９】
次に、監視制御の切替について説明する。
通常時、各駅の機器の監視や制御は、センタ駅の制御端末１００によってのみなされ、ローカル駅の制御端末２００では、自駅の機器についても制御することができないように設定されている。
【００８０】
そこで、ローカル駅において、各駅の機器を制御する場合には、センタ駅のオペレータが制御端末１００のタッチパネル式モニタを通じて、監視切替を要求する。この要求は、前述のウィンドウ２にて、「監視切替」を選択することによってなされる。
【００８１】
この選択（要求）がなされると、図１７に示すように駅名が上記モニタに表示され、センタ駅のオペレータが上記モニタ上の駅名を触れて選択することにより、選択されたローカル駅に向け制御コマンドがＬＡＮを通じて送信される。
【００８２】
これを受けたローカル駅は、自駅の制御端末２００を通じて、自駅の機器の制御が可能となる。この状態は、センタ駅にて再び「監視切替」により、その主体をセンタ駅に移されるまで持続される。
【００８３】
次に、アラーム発生の記録について説魅する。
ローカル駅の制御端末２００は、自駅の機器に生じる異常を監視し、異常が発生した場合には、その旨をアラーム情報として、ＬＡＮを通じセンタ駅の制御端末１００に通知する。これに対して、制御端末１００は、ローカル駅の制御端末２００より通知されるアラーム情報を機器毎と、駅毎に集計すると共に、その異常に対する対応（処置）が記録される。
【００８４】
そして、制御端末１００では、オペレータによって、前述のウィンドウ２の「異常記録」が選択されると、異常記録を検索するための図１８のウィンドウを表示する。ここで、検索条件が入力されると、その条件に一致する異常を検索して読み出し、モニタに表示する。図１９は、その一例である。
【００８５】
以上のように、上記構成の駅務遠隔監視システムでは、始業時および終業時の各駅の機器に対する遠隔制御を、予め設定したスケジュールデータに従って行うようにしている。
したがって、上記構成の駅務遠隔監視システムによれば、機器の始動や停止に関するオペレータの作業時間や手間を縮小し、確実な遠隔操作を行うことができる。
【００８６】
また、上記構成の駅務遠隔監視システムでは、始業時および終業時の各駅の機器に対する遠隔制御を、オペレータの要求に応じて予め作成しておいた始業項目ファイルおよび終業項目ファイルに従い、一括して行うようにしている。
したがって、上記構成の駅務遠隔監視システムによれば、機器の始動や停止に関するオペレータの作業時間や手間を縮小し、確実な遠隔操作を行うことができる。
【００８７】
さらに、上記構成の駅務遠隔監視システムでは、テレビ会議機能を備えて、通話時にオペレータ同士が互いの映像を見て通話できる。このため、無人駅などの赴いた保守員と、センタ駅のオペレータとの間で、高い次元で意志の疎通を図ることができる。
【００８８】
さらにまた、上記構成の駅務遠隔監視システムでは、ローカル駅の各機器を監視および制御する駅を、そのローカル駅自身か、あるいはセンタ駅にて選択的に行うようにしている。このため、ローカル駅を監視制御する駅をセンタ駅から、そのローカル駅に委ねることができるため、ローカル駅の機器を、平常時にはセンタ駅に監視／制御し、非常時にはローカル駅にて保守員が監視／制御することができる。
【００８９】
また、上記構成の駅務遠隔監視システムでは、センタ駅およびローカル駅にて発生した異常をアラーム情報としてセンタ駅に記憶し、このアラーム情報に併せてその異常への対応を記憶する。そしてこの記録した情報を、オペレータの要求に応じて検索してモニタに表示するようにしているため、異常が生じた場合に、過去の異常への対応を参考にして、異常に対応することができる。
【００９０】
次に、この発明の第２の実施形態に係わる駅務遠隔監視システムについて説明する。図２０は、その構成を示すものである。
この駅務遠隔監視システムは、自動改札機Ｇ１〜Ｇｊ、自動改札機監視装置Ｇｏ、センサＳｅ１〜Ｓｅｋ、センサ監視装置Ｓｏ、カメラＣａ１〜Ｃａｍ、放送設備Ｂｒ１〜Ｂｒｎ、画像処理装置Ｖｐ、シャッタＳｕ、照明Ｌｉ、操作端末Ｏｐ１，Ｏｐ２、制御部Ｃｏを備えている。
【００９１】
そして、上記構成のうち、自動改札機Ｇ１〜Ｇｊ、自動改札機監視装置Ｇｏ、センサＳｅ１〜Ｓｅｋ、センサ監視装置Ｓｏ、カメラＣａ１〜Ｃａｍ、放送設備Ｂｒ１〜Ｂｒｎ、画像処理装置Ｖｐ、シャッタＳｕ、照明Ｌｉ、操作端末Ｏｐ２が無人駅に配備され、残る操作端末Ｏｐ１、制御部Ｃｏが有人駅に配備される。
【００９２】
なお、実際には、有人駅にも、自動改札機Ｇ１〜Ｇｊ、自動改札機監視装置Ｇｏ、センサＳｅ１〜Ｓｅｋ、センサ監視装置Ｓｏ、カメラＣａ１〜Ｃａｍ、放送設備Ｂｒ１〜Ｂｒｎ、画像処理装置Ｖｐ、シャッタＳｕ、照明Ｌｉ、操作端末Ｏｐ２が配備されるが、ここでは、これらに対する制御の説明を省略するため、図示しない。
【００９３】
自動改札機Ｇ１〜Ｇｊは、通常の自動改札機の機能に加え、ホーム内への入場者数とホーム外（ホール）への出場者数をそれぞれカウントし、自動改札機監視装置Ｇｏに通知する。
【００９４】
自動改札機監視装置Ｇｏは、自動改札機Ｇ１〜Ｇｊより通知される入出場者数のカウント値をそれぞれ集計し、制御系ネットワークＮｓを通じて、制御部Ｃｏに通知する。
【００９５】
センサＳｅ１〜Ｓｅｋは、図２１に示すように、無人駅内の各所に設けられ、その付近を監視する人感センサや温度センサであって、例えば、ホームにおいて乗客の有無を検出したり、喫煙所をはじめとする各所から火災の発生の有無を検出する。これらの監視結果は、センサ監視装置Ｓｏに通知される。
センサ監視装置Ｓｏは、センサＳｅ１〜Ｓｅｋよりそれぞれ通知される情報を集計し、制御系ネットワークＮｓを通じて、制御部Ｃｏに通知する。
【００９６】
カメラＣａ１〜Ｃａｍは、図２１に示すように、無人駅内の各所に設けられ、駅内を撮影し、撮影した映像を映像系ネットワークＮｖを通じて、画像処理装置Ｖｐに出力する。
画像処理装置Ｖｐは、カメラＣａ１〜Ｃａｍにて撮像された映像をディジタルデータに変換し、制御系ネットワークＮｓを通じて、制御部Ｃｏに送信する。また、画像処理装置Ｖｐは、カメラＣａ１〜Ｃａｍにて撮影された映像のうち、無人駅に到着する電車より乗客が下車する様子を撮影した映像に基づいて、画像解析により下車した乗客数を求める。
【００９７】
放送設備Ｂｒ１〜Ｂｒｎは、それぞれホームおよびホールに配備される。そして、制御部Ｃｏにより制御系ネットワークＮｓを通じて遠隔操作され、放送信号は、放送系ネットワークＮｂを通じて伝送され、放送を行う。
【００９８】
シャッタＳｕは、駅の出入り口に設けられ、制御系ネットワークＮｓを通じて、制御部Ｃｏによって、上記出入り口の封鎖と開放を行う。
照明Ｌｉは、駅内の照明であって、制御系ネットワークＮｓを通じて、制御部Ｃｏにより、ＯＮ／ＯＦＦ制御される。
【００９９】
操作端末Ｏｐ１，Ｏｐ２は、キーボードおよびモニタを備える端末装置で、モニタには制御系ネットワークＮｓを通じて送られる映像を表示したり、オペレータからの指示を受け付けるための表示などを行う。また、オペレータからの各種の指示は上記キーボードなどを通じて行われる。
【０１００】
制御部Ｃｏは、ＣＰＵ、ＲＯＭおよびＲＡＭ等を有してなるものであり、上記ＣＰＵが上記ＲＯＭに記憶される制御プログラムや制御データにしたがって、当該終業確認システムの各部を統括して制御するものである。
【０１０１】
次に、上記構成の駅務遠隔監視システムの終業制御処理について説明する。
この処理は、制御部Ｃｏによってなされ、上述の無人駅に最終電車が到着する直前に開始される。図２２は、そのフローチャートである。
【０１０２】
まず、ステップ２２ａでは、タイマを起動し、ｔ＝０より計時を開始する。
次にステップ２２ｂでは、センサ監視装置Ｓｏからの情報と、画像処理装置Ｖｐからの情報に基づいて、最終電車より下車した乗客数を求め、ステップ２２ｃに移行する。
【０１０３】
ステップ２２ｃでは、自動改札機監視装置Ｇｏにて集計された自動改札機Ｇ１〜Ｇｊからの出場者数と、上記ステップ２２ｂで求めた乗客数とを比較し、ホーム外に乗客が全員出たか否かを判定する。ここで、ホーム内に乗客が残っていないと判定される場合には、ステップ２２ｄに移行し、一方、乗客が残っている場合には、ステップ２２ｈに移行する。
【０１０４】
ステップ２２ｄでは、センサＳｅ１〜Ｓｅｋのうち、温度センサにより火災を検出するものからの情報をセンサ監視装置Ｓｏを通じて取得し、この情報に基づいて火災のおそれがあるか否か判定する。ここで、火災のおそれがある場合には、ステップ２２ｈに移行し、一方、火災のおそれがない場合には、ステップ２２ｅに移行する。なお、センサＳｅ１〜Ｓｅｋは、温度センサによる火災の検出の他、他の異常状態を検出するものであってもよい。
【０１０５】
ステップ２２ｅでは、制御系ネットワークＮｓを通じて、シャッタＳｕを降ろし、駅の出入り口を封鎖し、ステップ２２ｆに移行する。ステップ２２ｆでは、自動改札機Ｇ１〜Ｇｊの電源を遮断し、ステップ２２ｇに移行する。ステップ２２ｇでは、制御系ネットワークＮｓを通じて、照明Ｌｉの照明を消灯し、当該処理を終了する。
一方、ステップ２２ｈでは、操作端末Ｏｐ１を通じて、オペレータに対して火災発生のおそれがある旨を報知し、当該処理を終了する。
【０１０６】
ステップ２２ｈでは、センサ監視装置Ｓｏおよび画像処理装置Ｖｐからの情報より、ホーム内に残る人がいるか否かを判定する。ここで、残る人がいない場合には、前述のステップ２２ｄに移行する。一方、残る人が検出された場合には、ステップ２２ｉに移行する。
【０１０７】
ステップ２２ｉでは、制御系ネットワークＮｓを通じて放送設備Ｂｒ１〜Ｂｒｎを遠隔制御して放送を行い、ホーム内に残る人に対して終業の旨を報知し、駅構内からの退出を促し、ステップ２２ｊに移行する。
【０１０８】
ステップ２２ｊでは、タイマにて計時された時間ｔを、予め設定した時間Ｔと比較し、時間Ｔ以上経過しているか否かを判定する。
ここで、時間Ｔ以上経過している場合には、ステップ２２ｋに移行し、一方、経過していない場合には、ステップ２２ｃに移行して、再度残る人のチェックを行う。
【０１０９】
ステップ２２ｋでは、操作端末Ｏｐ１を通じて、オペレータに対し、ホーム内に残る人がいる旨を「異常発生」として報知し、当該処理を終了する。
【０１１０】
以上のように、上記構成の駅務遠隔監視システムでは、最終電車が到着した際に、下車した乗客数を求め、自動改札機Ｇ１〜Ｇｊの通過者数から、ホーム内に残る人がいないことを確認する。そして、残る人を退出するように放送で促し、残る人がいないことを確認すると、シャッタによる出入り口の封鎖や、各種機器の電源断などの終業処理を行うようにしている。
したがって、上記構成の駅務遠隔監視システムによれば、最終電車が到着後、人的資源を節約して、駅の終業確認および終業処理を行うことができる。
【０１１１】
尚、この発明は上記実施の形態に限定されるものではない。その他、この発明の要旨を逸脱しない範囲で種々の変形を施しても同様に実施可能であることはいうまでもない。
【０１１２】
【発明の効果】
以上述べたように、この発明では、改札計数手段、人検出手段および人計数手段にて得られた情報から、駅が終業状態にあることを判定するようにしている。
したがって、この発明よれば、人的資源を節約して、駅の終業確認を行うことが可能な駅務遠隔監視システムを提供できる。
【図面の簡単な説明】
【図１】この発明に係わる駅務遠隔監視システムの第１の実施の形態の構成を示すブロック図。
【図２】図１に示した駅務遠隔監視システムが適用される鉄道を説明するための図。
【図３】図１に示した制御端末のモニタの表示例を示す図。
【図４】図３に示した表示例を詳細に説明するための図。
【図５】図３に示した表示例を詳細に説明するための図。
【図６】図３に示した表示例を詳細に説明するための図。
【図７】図３に示した表示例を詳細に説明するための図。
【図８】図３に示した表示例を詳細に説明するための図。
【図９】図３に示した表示例を詳細に説明するための図。
【図１０】制御端末が各機器を制御するために用いる操作コードの構成を示す図。
【図１１】図１に示した駅務遠隔監視システムがスケジュールに従った機器の遠隔制御を説明するためのフローチャート。
【図１２】図１に示した駅務遠隔監視システムによる始業時の機器の遠隔制御を説明するためのフローチャート。
【図１３】図１に示した制御端末のモニタに表示される始業項目を選択する画面の表示例を示す図。
【図１４】図１に示した駅務遠隔監視システムにおいて、駅間でテレビ会議を行う場合の動作を説明するためのフローチャート。
【図１５】駅間でテレビ会議を行う場合に、図１に示した制御端末のモニタに表示される画面の表示例を示す図。
【図１６】駅間でテレビ会議を行う場合に、図１に示した制御端末のモニタに表示される画面の表示例を示す図。
【図１７】ローカル駅において各駅の機器を制御するように設定する場合に、図１に示した制御端末のモニタに表示される画面の表示例を示す図。
【図１８】異常の記録を検索する場合に、図１に示した制御端末のモニタに表示される画面の表示例を示す図。
【図１９】異常の記録を検索する場合に、図１に示した制御端末のモニタに表示される画面の表示例を示す図。
【図２０】この発明に係わる駅務遠隔監視システムの第１の実施の形態の構成を示すブロック図。
【図２１】図２０に示した駅務遠隔監視システムが適用される無人駅を説明するための図。
【図２２】図２０に示した駅務遠隔監視システムによってなされる終業制御処理を説明するためのフローチャート。
【図２３】従来より駅に適用されるシステムの構成を示すブロック図。
【符号の説明】
１００，２００…制御端末（ＰＣ）
１１０，２１０…ビデオスイッチャ（ＶＳＷ）
１１１，２１１…人物カメラ
１１２，２１２…マルチビューワ（ＭＶ）
１１３〜１１５，２１３〜２１５…カメラ
１２０…オーディオスイッチャ（ＡＳＷ）
１２１，２２１…インターホン制御器
１２２，１２３，２２２，２２３…インターホン
１２４，２２４…ハンドセット
１３１，１３２，２３１，２３２…駅務機器
１３３，２３３…駅設備
Ｇ１〜Ｇｊ…自動改札機
Ｇｏ…自動改札機監視装置
Ｓｅ１〜Ｓｅｋ…センサ
Ｓｏ…センサ監視装置
Ｃａ１〜Ｃａｍ…カメラ
Ｖｐ…画像処理装置
Ｓｕ…シャッタ
Ｌｉ…照明
Ｎｓ…制御系ネットワーク
Ｎｖ…映像系ネットワーク
Ｎｂ…放送系ネットワーク
Ｂｒ１〜Ｂｒｎ…放送設備
Ｃｏ…制御部
Ｏｐ１，Ｏｐ２…操作端末
【図１】
0004060475.tif 000002
【図２】
0004060475.tif 000003
【図３】
0004060475.tif 000004
【図４】
0004060475.tif 000005
【図５】
0004060475.tif 000006
【図６】
0004060475.tif 000007
【図７】
0004060475.tif 000008
【図８】
0004060475.tif 000009
【図９】
0004060475.tif 000010
【図１０】
0004060475.tif 000011
【図１１】
0004060475.tif 000012
【図１２】
0004060475.tif 000013
【図１３】
0004060475.tif 000014
【図１４】
0004060475.tif 000015
【図１５】
0004060475.tif 000016
【図１６】
0004060475.tif 000017
【図１７】
0004060475.tif 000018
【図１８】
0004060475.tif 000019
【図１９】
0004060475.tif 000020
【図２０】
0004060475.tif 000021
【図２１】
0004060475.tif 000022
【図２２】
0004060475.tif 000023
【図２３】
0004060475.tif 000024